(57)【要約】【課題】  本発明は、血液、薬液、栄養等の供給、あるいは、透析等を行うためのカテーテルと前記血液等の供給部またはフィルタ等を接続するカテーテル用コネクタに関するものである。【解決手段】  本発明は、互いに連結するボディーおよびルアーと、前記ボディーおよびルアーの内部に内蔵されているスラグとによって構成されているコネクタからカテーテルが抜去するのを防止するものである。前記コネクタは、ボディーとルアーを反対方向に回転させることにより、スラグが圧迫されることにより、カテーテルの抜去を困難にしている。前記コネクタは、前記ボディーとルアーとを締め付けた後、前記コネクタから出されたカテーテルの少なくとも一つの支点位置を変更することにより、前記カテーテルの抜け止めを防止している。【選択図】    図１
2005161037.tif 000002
【特許請求の範囲】
【請求項１】
互いに回転させることにより連結するとともに、少なくとも一部の周囲が多角形部分または凸条からなるボディーおよびルアーと、前記ボディーおよびルアーの内部に内蔵されているスラグとによって構成されているコネクタからカテーテルが抜去するのを防止するカテーテル抜去防止方法において、
前記コネクタから導出されたカテーテルを前記コネクタに沿うようにして支点位置を変更することにより、前記カテーテルの抜け止めを防止することを特徴とするカテーテル抜去防止方法。
【請求項２】
互いに回転させることにより連結するとともに、少なくとも一部の周囲が多角形部分または凸条からなるボディーおよびルアーと、前記ボディーおよびルアーの内部に内蔵されているスラグとによって構成されているコネクタからカテーテルが抜去するのを防止するカテーテル抜去防止方法において、
前記コネクタのボディーおよびルアーが互いに回転して緩まないようにするためのプロテクタによって覆われていることを特徴とするカテーテル抜去防止方法。
【請求項３】
互いに回転させることにより連結するとともに、少なくとも一部の周囲が多角形部分または凸条からなるボディーおよびルアーと、前記ボディーおよびルアーの内部に内蔵されているスラグとによって構成されているコネクタにおいて、
前記コネクタから導出されたカテーテルの少なくとも一つの支点位置を変更するためにコネクタに設けられたフックを備えていることを特徴とするカテーテル用コネクタ。
【請求項４】
内部に多角形部分、凸条、凹凸の内のいずれか少なくとも一つを備え、前記コネクタを覆うプロテクタと、
前記プロテクタを構成する弾性によってロックする留め具と、
を備えていることを特徴とする請求項３に記載されたカテーテル用コネクタ。
【発明の詳細な説明】
【技術分野】
【０００１】
本発明は、血液、薬液、栄養等の供給、あるいは、透析等を行うためのカテーテルと前記血液等の供給器具またはフィルタ等を接続するカテーテル用コネクタに関するものである。また、本発明は、前記カテーテルが生体管腔内から抜去するのを防止するカテーテル抜去防止方法に関するものである。特に、本発明は、持続硬膜外麻酔カテーテル用コネクタとして適用することで、大きな効果を発揮するものである。
【０００２】
なお、本発明でいう「カテーテル用コネクタ」は、前記カテーテル用コネクタを覆う「プロテクタ」も含むものである。前記のような定義は、本発明のカテーテル用コネクタの形状と、プロテクタの形状が一体不可分のものであるからである。本発明は、カテーテルを使用した医療行為そのものではなく、前記カテーテル用コネクタからカテーテルが抜けるのを防止する方法に関するものである。本発明のカテーテル抜去防止方法は、医師や看護士が手術、治療、または診断中以外の時間帯に起きる医療事故を防止するためのものである。すなわち、本発明は、医師や看護士が患者から離れている間に起こる医療事故を無くすためのカテーテル抜去防止方法に関するものである。
【背景技術】
【０００３】
近年の医療方法は、外科手術をできるだけ行わずに、カテーテルを介して、生体管腔に血液、薬液、栄養等を供給することにより、治療を行うようになってきた。前記カテーテルは、一方に前記生体管腔に差し込む針が取り付けられ、他方にカテーテル用コネクタが取り付けられている。また、前記カテーテル用コネクタは、一方から前記カテーテルが導出され、他方に前記血液、薬液、栄養等を供給するための器具、あるいは、フィルタ等が接続される。
【０００４】
図４（イ）は従来におけるカテーテルを接続するコネクタを説明するための図で、（ロ）は前記コネクタにおけるルアーの詳細図で、（ハ）はコネクタを接続した状態を説明するための図で、（ニ）は前記コネクタを締めつける状態を説明するための図である。
【０００５】
図４（イ）において、カテーテル用コネクタ４１は、ボディー４２と、ルアー４３と、前記ボディー４２およびルアー４３の内部に内蔵されるスラグ４４と、キャップ４６とから構成されている。前記カテーテル４５（図４（ロ）参照）は、前記ボディー４２の内部に挿入されるとともに、カテーテル導出口４２１から導出される。
【０００６】
前記ルアー４３は、前記スラグ４４およびカテーテル４５を内部に収納した後、ボディー４２を互いに回転させることによりネジ結合するような構造になっている。また、前記ルアー４３は、一方に、カテーテル４５を挿入するカテーテル挿入孔４３１と、前記スラグ４４およびワッシャー４４３を挿入するスラグ挿入孔４３２が設けられ、他方に、前記キャップ４６、または図示されていない、血液等供給器具またはフィルタ等が接続される血液等供給口４３３が設けられている。
【０００７】
前記スラグ４４は、一方がワッシャー４４２を介して、ボディー４２に挿入され、他方がワッシャー４４３を介してルアー４３に挿入される。図４（ハ）に示された状態は、ルアー４３の端部にキャップ４６を取り付け、ボディー４２とルアー４３の内部にスラグ４４が内蔵されている。図４（ニ）の矢印で示されるようにボディー４２とルアー４３とを反対側に回転させ、回らなくなるまで回転させることにより、カテーテル４５がコネクタ４１にしっかりと締め込まれる。
【０００８】
前記カテーテル用コネクタ４１には、カテーテルが抜けるのを防止するための構造が特別に設けられていない。前記カテーテル用コネクタ４１は、たとえば、特開２００１−１３７３５１号公報、あるいは、特開２００１−２９９９３６号公報に記載されている。
【０００９】
【特許文献１】特開２００１−１３７３５１号公報
【特許文献２】特開２００１−２９９９３６号公報
【発明の開示】
【発明が解決しようとする課題】
【００１０】
前記従来の技術において、カテーテル用コネクタ４１は、カテーテル４５を絶対に抜けないように強固に締め付けると、カテーテル４５内の血液等の流通に支障を来すことがある。したがって、前記カテーテル用コネクタ４１は、血液等を充分に供給するとともにカテーテル４５が抜けないようにするという相矛盾する機能を有する必要がある。
【００１１】
しかし、前記従来のカテーテル用コネクタ４１は、前記相矛盾する機能を無くすことはできず、また、カテーテル４５の抜け止め防止を完全なものにすることができなかった。前記従来のカテーテル４５は、患者の動きや何らかの原因で前記カテーテル用コネクタ４１が緩んだ結果、抜けるという事故が頻繁に起きていた。
【００１２】
本発明は、以上のような課題を解決するためのものであり、前記カテーテルの荷重がかかる支点の方向を変えたり、あるいは、カテーテル用コネクタの回転ができないような形状のプロテクタでカテーテル用コネクタを覆うことで、カテーテルが抜けないカテーテル抜去防止方法およびカテーテル用コネクタを提供することを目的とする。本発明は、特に、持続硬膜外麻酔カテーテルに適したカテーテル用コネクタを提供することを目的とする。
【課題を解決するための手段】
【００１３】
（第１発明）
第１発明のカテーテル抜去防止方法は、互いに回転させることにより連結するとともに、少なくとも一部の周囲が多角形部分または凸条からなるボディーおよびルアーと、前記ボディーおよびルアーの内部に内蔵されているスラグとによって構成されているコネクタからカテーテルが抜去するのを防止するものであり、前記コネクタから導出されたカテーテルを前記コネクタに沿うようにして支点位置を変更することにより、前記カテーテルの抜け止めを防止することを特徴とする。
【００１４】
（第２発明）
第２発明のカテーテル抜去防止方法は、互いに回転させることにより連結するとともに、少なくとも一部の周囲が多角形部分または凸条からなるボディーおよびルアーと、前記ボディーおよびルアーの内部に内蔵されているスラグとによって構成されているコネクタからカテーテルが抜去するのを防止するものであり、前記コネクタのボディーおよびルアーが互いに回転して緩まないようにするためのプロテクタによって覆われていることを特徴とする。
【００１５】
（第３発明）
第３発明のカテーテル用コネクタは、互いに回転させることにより連結するとともに、少なくとも一部の周囲が多角形部分または凸条からなるボディーおよびルアーと、前記ボディーおよびルアーの内部に内蔵されているスラグとによって構成されており、前記コネクタから導出されたカテーテルの少なくとも一つの支点位置を変更するためにコネクタに設けられたフックを備えていることを特徴とする。
【００１６】
（第４発明）
第４発明のカテーテル用コネクタは、第３発明において、内部に多角形部分、凸条、凹凸の内のいずれか少なくとも一つを備え、前記コネクタを覆うプロテクタと、前記プロテクタを構成する弾性によってロックする留め具とを備えていることを特徴とする。
【発明の効果】
【００１７】
本発明によれば、カテーテル用コネクタにカテーテルを接続後に、プロテクタを被せるだけで、カテーテル用コネクタのボディーおよびルアーが回転して緩むことがないので、カテーテルが外れて血液や薬液等がこぼれ出ることがない。
【００１８】
本発明によれば、プロテクタの内部は、前記ボディーおよびルアーが回転しないような形状になっているため、互いにブロックされて回転することがなく、医療中の事故を防止することができる
【００１９】
本発明によれば、プロテクタから導出されたカテーテルをフックにかけることにより、カテーテルの導出方向と異なる方向に係合されるため、カテーテルが導出された方向に引っ張られても、前記荷重のかかる支点が異なっており、カテーテルがカテーテル用コネクタから抜け出すことがない。
【００２０】
本発明によれば、カテーテル用コネクタを覆うプロテクタの留め金が突起と嵌合するため、プロテクタをこじ開けない限り、簡単に外せない。すなわち、カテーテルは、プロテクタを作為的に開けない限り、抜け出すことがない。
【発明を実施するための最良の形態】
【００２１】
（第１発明）
第１発明のカテーテル抜去防止方法は、互いに回転させることにより連結するとともに、少なくとも一部の周囲が多角形部分または凸条からなるボディーおよびルアーと、前記ボディーおよびルアーの内部に内蔵されているスラグとによって構成されているコネクタからカテーテルが抜去するのを防止するものである。前記コネクタは、前記カテーテルがボディーおよびルアーの内部に内蔵されているスラグの内部に挿入され、導出される側と反対側に薬液注入器具またはフィルタ等を接続できるような構造になっている。
【００２２】
前記コネクタは、ボディーとルアーを反対方向に回転させることにより、スラグが圧迫されることにより、カテーテルの抜去を困難にしている。前記ボディーとルアーの回転が緩むと、カテーテルは、スラグから抜け易くなる。そこで、第１発明は、前記ボディーとルアーとを締め付けた後、前記コネクタから導出されたカテーテルを前記コネクタに沿うようにして少なくとも一つの支点位置を変更することにより、前記カテーテルの抜け止めを防止している。
【００２３】
前記カテーテルは、前記コネクタと同じ方向に引き抜く力がかかる場合、前記コネクタから外れ易いが、前記コネクタから導出された後、荷重がかかることにより引き抜かれる方向を変更する、すなわち、支点位置を変更することにより前記コネクタから抜け難くしている。
【００２４】
（第２発明）
第２発明のカテーテル抜去防止方法は、前記コネクタにおける少なくとも一部の周囲に設けられた多角形部分または凸条からなるボディーおよびルアーが互いに回転しないように連結されて緩まないようにするためのプロテクタによって覆われている。すなわち、前記プロテクタは、前記コネクタのボディーおよびルアーが互いに回転しないようにコネクタの周面に沿って覆うような構造、または、前記コネクタの断面に沿った筒状のものを側面から嵌め込み、薬液等の供給器具を取り付けることにより、抜けなくなるような構造からなっている。カテーテルは、前記プロテクタによって、前記ボディーおよびルアーが緩まないため、前記コネクタから抜け出し難くなる。
【００２５】
（第３発明）
第３発明のカテーテル用コネクタは、互いに連結するボディーおよびルアーと、前記ボディーおよびルアーの内部に内蔵されているスラグとによって構成されている。また、前記コネクタの外面には、前記コネクタから導出されたカテーテルの少なくとも一つの支点位置を変更するためのフックが備えられている。
【００２６】
前記コネクタから導出されたカテーテルは、一旦方向を変えて前記フックにかけられた後、元の方向（反対方向）に導出される。第３発明のカテーテルは、一旦方向が変えられてフックに掛けられているため、引っ張られても抜けることがない。
【００２７】
（第４発明）
第４発明のカテーテル用コネクタは、内部に多角形部分、凸条、凹凸の内のいずれか少なくとも一つを備えたプロテクタによって覆われているとともに、前記プロテクタを構成する材質の弾性によってロックする留め具を備えている。前記留め具は、前記弾性によって凸起等を乗り越えることにより、ロックされる。一旦ロックされた留め具は、前記プロテクタをこじ開けない限り開かないため、カテーテルが抜けることもない。
【００２８】
本発明のカテーテル用コネクタは、互いに連結するボディーおよびルアーと、前記ボディーおよびルアーの内部に内蔵されているスラグと、前記コネクタのボディーおよびルアーを覆うプロテクタとから構成されている。そして、前記プロテクタの内部には、回転止め用の凹凸が成形されている。前記回転止め用の凹凸は、前記ボディーおよびルアーの連結が緩みかけても、回転しないような構造になっている。
【００２９】
本発明のコネクタは、前記ボディーおよびルアーを螺子に着脱自在する場合、前記螺子の最後に凹凸を成形し、前記コネクタの部材にバネ性を持たせ、前記凹凸を嵌合させることにより、前記ボディーおよびルアーの緩み止めを達成させることができる。また、前記ボディーおよびルアーの回転結合部には、たとえば、ラチェットのような回転止めを設けるようにすることもできる。
【００３０】
本発明のカテーテル用コネクタは、互いに連結するボディーおよびルアーと、前記ボディーおよびルアーの内部に内蔵されているスラグと、前記コネクタのボディーおよびルアーを覆うプロテクタと、前記プロテクタの外側にカテーテルの支点位置を変更するための少なくとも一つのフックと、から構成されている。
【００３１】
前記コネクタから導出されたカテーテルは、一旦方向を変えて前記プロテクタの外側に成形された前記フックにかけられた後、元の方向（反対方向）に導出される。前記カテーテルは、一旦方向が変えられてフックに掛けられているため、引っ張られても抜けることがない。
【００３２】
本発明のカテーテル用コネクタは、互いに連結するボディーおよびルアーと、前記ボディーおよびルアーの内部に内蔵されているスラグと、前記コネクタのボディーおよびルアーを開閉自在に覆うプロテクタと、前記プロテクタの内側に成形された回転止め用の凹凸と、前記プロテクタの外側にカテーテルの支点位置を変更するための少なくとも一つのフックと、から構成されている。
【００３３】
前記プロテクタは、ボディーおよびルアーを覆うことにより、内側に成形された回転止め用の凹凸により、前記ボディーおよびルアーの回転、すなわち、緩みを無くす。また、前記プロテクタの外側に設けられているフックは、カテーテルの抜け出す方向を一旦変えてから、元の方向に導出するようにしているため、荷重がかかっても、抜けることがない。
【００３４】
本発明のカテーテル用コネクタは、前記ボディーおよびルアーを開閉自在に覆うプロテクタの内部形状、および前記プロテクタの外側にフックを有していない点で前記発明と異なっている。すなわち、前記プロテクタの内側には、前記ボディーおよびルアーの外形とほぼ一致する内部形状および／または緩み止め用の凹凸とが成形されている。本発明は、前記プロテクタの内側が前記ボディーおよびルアーの外形とほぼ一致する内部形状に成形されているため、前記ボディーおよびルアーが互いに回転することがない。
【００３５】
本発明のカテーテル用コネクタは、血液または薬液等を供給するだけでなく、硬膜外麻酔カテーテルとして使用されることにより、さらに、効果を発揮する。  本発明のカテーテル用コネクタは、前記カテーテルの支点位置を変更するためのフック形状を規定している。すなわち、前記フックは、その内部がカテーテルの太さにほぼ等しく、カテーテルを挿入する入口を前記内部よりやや狭くすることにより、前記カテーテルが抜け難くなっている。
【００３６】
前記カテーテルは、周囲を圧迫し過ぎると、血液または薬液等の供給を妨げるが、緩過ぎても役割を果たさない。そこで、本発明のフックは、前記入り口部分をカテーテルの直径より小さくし、内部において、血液または薬液等の供給を妨げない程度に圧迫するような構造にしている。
【００３７】
本発明のカテーテル用コネクタにおいて、前記コネクタを覆うプロテクタは、前記ボディーおよびルアーを覆う二つの部材からなり、一方および他方がヒンジを介して一体に成形されている。また、前記プロテクタには、コネクタを覆った後に閉じる留め部が設けられ、患者の通常の動きでは開かないようになっている。
【００３８】
本発明のカテーテル用コネクタにおいて、前記コネクタを覆うプロテクタの一部には、前記コネクタを患者に取り付けるためのピン止め孔が設けられている。前記コネクタは、たとえば、安全ピンによって、患者の一部に取り付けられ、前記カテーテルを介して、血液または薬液等を患者の患部等に対して安全に供給することができる。
【実施例】
【００３９】
図１は本発明の実施例であり、（イ）はプロテクタの断面図、（ロ）はプロテクタが開いている状態を説明するための平面図である。図２は本発明の実施例であり、（イ）はプロテクタの下面図、（ロ）はＡ−Ａ断面図、（ハ）はＢ−Ｂ上面図である。図３は本発明の実施例であり、フックの拡大正面図である。
【００４０】
図１（イ）および（ロ）において、図示されていない、ボディーおよびルアーからなるカテーテル用コネクタを覆うプロテクタ１１は、たとえば、二つのカバー部材１２および１３がヒンジ１４により、開閉自在に前記コネクタを覆い、留め具１５を掛けることで、固定される。
【００４１】
前記留め具１５の形状は、特に限定されるものではなく、公知または周知のものが使用できる。前記プロテクタ１１は、その内部に、図示されていない、ボディーを収納するボディー収納部１６、およびルアーを収納するルアー収納部１７が成形されている。
【００４２】
前記ボディー収納部１６は、端部にカテーテル導出口１６１と、内面にボディーを回転させないように成形された凸起１６２とが設けられている。前記ルアー収納部１７は、底部に開口部１７１と、内面にルアーの形状とほぼ同じ、たとえば、断面形状が八角形の面１７２（図２（ロ）参照）を有するように成形されている。
【００４３】
前記開口部１７１は、血液あるいは薬液等を供給する器具またはフィルタ等がコネクタに接続できるようにするためのものである。前記ルアー収納部１７の外面には、フック１８が設けられている。前記フック１８は、図３に示す拡大図から判るように、カテーテルとほぼ同じ径または多少細い径をしたカテーテル挿入孔１８２と、前記カテーテルを挿入する際に、前記カテーテルの径より狭い溝から構成されるカテーテル挿入溝１８１とから構成されている。
【００４４】
前記フック１８は、前記プロテクタ１１の先端部（図１（ロ）の右側）から導出されたカテーテルの導出方向を変えるために、前記カテーテル導出口１６１より、図の左側に設けられている。また、前記カテーテルは、前記カテーテル挿入溝１８１から押し込まれてカテーテル挿入孔１８２に挿入される。
【００４５】
前記カテーテル挿入孔１８２は、カテーテルが引っ張られる方向を変えるとともに、カテーテルの係合による摩擦を持たせる。したがって、前記カテーテルは、前記カテーテル挿入孔１８２に挿入されることで、前記カテーテル用コネクタから引き抜かれることがなくなる。
【００４６】
係合孔１９は、図１（ロ）に示されているように、小さな孔から構成されており、患者にカテーテルおよびカテーテル用コネクタを取り付ける場合の、たとえば、安全ピンを通す孔である。
【００４７】
前記カテーテルが挿入されたカテーテル用コネクタは、たとえば、ボディーの外周に凸条２１が、またルアーの外周に八角面２２が成形されている。そして、前記カテーテル用コネクタは、図２（ハ）に示されているように、プロテクタ１１の一方のボディー収納部１６、およびルアー収納部１７に載置した後、他方の収納部をヒンジ１４を中心に回転させ、留め具１５によって固定する。留め具１５は、図１（ロ）に示す符号のない反対側の凸起を乗り越えて、嵌合するとともにロックされる。前記ロックは、前記プロテクタ１１の材質で決まる弾性に逆らってこじ開けない限り開けることができない。すなわち、前記プロテクタ１１は、患者が動いたり、いたずらをしても、開けることができないため、カテーテルも抜けることがない。
【００４８】
前記カテーテル用コネクタの外周面に成形されている前記凸条２１および前記八角面２２は、プロテクタ１１のボディー収納部１６およびルアー収納部１７の内面とほぼ同じ形状に成形されているため、前記プロテクタ１１で覆った後、留め具１５により開閉ができないようにすることで、前記カテーテル用コネクタのボディーおよびルアーが回転して緩むことがない。
【００４９】
前記プロテクタ１１は、前記カテーテル用コネクタの外周面と、ボディー収納部１６およびルアー収納部１７の内面との形状をほぼ一致させるか、あるいは、回転止めの凹凸を成形することにより、前記カテーテル用コネクタからカテーテルが抜去することを防止できる。
【００５０】
また、前記プロテクタ１１のルアー収納部１７における外周に設けられたフック１８は、前記カテーテル用コネクタから導出するとともに、プロテクタ１１のカテーテル導出口１６１から導出され、カテーテルの方向を一旦反対側に移動させる。前記方向が変えられたカテーテルは、フック１８のカテーテル挿入溝１８１に押し込むことにより、カテーテル挿入孔１８２に取り付けられる。
【００５１】
前記カテーテルは、プロテクタ１１から導出された後、引っ張られる方向にかかる荷重と反対方向に係合されるような支点が設けられているため、特別な荷重がかからない限り、引き抜かれることがない。
【産業上の利用可能性】
【００５２】
以上、本実施例を詳述したが、本発明は、前記本実施例に限定されるものではなく、特許請求の範囲に記載されている事項を逸脱することがなければ、種々の設計変更を行うことが可能である。たとえば、前記プロテクタは、合成樹脂部材のような成形が容易なものであり、多少弾性があるものが望ましい。
【００５３】
前記ボディー収納部および前記ルアー収納部の内面に成形する形状は、八角形または凸起に限定されず、コネクタのボディーおよびルアーが互いに回転できない形状であれば良い。
【００５４】
前記ボディー収納部および前記ルアー収納部の内面の形状とフックは、いずれか一方のみを設けることもできる。また、前記プロテクタに成形されたフックの形状は、血液や薬液等が供給でき、かつ、抜け難くなっていれば、実施例に限定されない。
【００５５】
前記プロテクタに成形されている留め具の形状は、公知または周知のものを使用することができる。
【図面の簡単な説明】
【００５６】
【図１】本発明の実施例であり、（イ）はプロテクタの断面図、（ロ）はプロテクタが開いている状態を説明するための平面図である。（実施例）
【図２】本発明の実施例であり、（イ）はプロテクタの下面図、（ロ）はＡ−Ａ断面図、（ハ）はＢ−Ｂ上面図である。（実施例）
【図３】本発明の実施例であり、フックの拡大正面図である。（実施例）
【図４】（イ）は従来におけるカテーテルを接続するコネクタを説明するための図で、（ロ）は前記コネクタにおけるルアーの詳細図で、（ハ）はコネクタを接続した状態を説明するための図で、（ニ）は前記コネクタを締めつける状態を説明するための図である。
【符号の説明】
【００５７】
１１・・・プロテクタ
１２・・・一方のカバー部材
１３・・・他方のカバー部材
１４・・・ヒンジ
１５・・・留め具
１６・・・ボディー収納部
１６１・・カテーテル導出口
１６２・・凸起
１７・・・ルアー収納部
１７１・・開口部
１７２・・八角形の面
１８・・・フック
１８１・・カテーテル挿入溝
１８２・・カテーテル挿入孔
１９・・・係合孔
２１・・・ボディーの凸条
２２・・・ルアー八角面
２２・・・八角面
【図１】
2005161037.tif 000003
【図２】
2005161037.tif 000004
【図３】
2005161037.tif 000005
【図４】
2005161037.tif 000006